(57)【要約】      （修正有）【課題】施工性が極めて良好で、かつ防水、断熱、結露防止等の機能を具備した金属製屋根材を提供する。【解決手段】  化粧面４の水上側の先端に防水片１３と、嵌合片１４と、上片１５と、止水片１７を形成した雌型連結部１８と、化粧面４の水下側の先端に段差化粧面６と、最奥片８と、最奥片８の先端を水下側に突出した差込片９を形成した雄型連結部１２とからなる金属製屋根材Ｃと、固定片１９と、係止片２０と、係止片と固定片よりなる係止溝２１と、係止片の先端を上方に屈曲し先端を水下側へ屈曲し固定片の下端よりも水下側へ突出した支持片２２とから形成した取付具Ｅとからなり、取付具Ｅの支持片２２により金属製屋根材Ｃの上端部を支持すると共に取付具Ｅの固定片１９を固定具βにより固定することにより金属製屋根材Ｃの上端部を固定し、金属製屋根材Ｃの下端部は差込片９を取付具Ｅの係止溝２１に係合することにより固定される外装材Ａである。【選択図】図１
2006225866.tif 000002
【特許請求の範囲】
【請求項１】
化粧面の水上側の先端には上方に突出し先端を上方へ突出した防水片と、該防水片の先端を水上側へ突出した嵌合片と、該嵌合片の先端を水下側へ突出した上片と、該上片の先端を防水片よりもさらに突出した止水片より形成した雌型連結部と、化粧面の水下側の先端には下方に垂下した段差化粧面と、化粧面の先端近傍を下方に突出した最奥片と、該最奥片の先端を水下側に突出した差込片を形成した雄型連結部とからなる金属製屋根材と、略水平面状の固定片と、該固定片の下端を上方に屈曲し先端を水上側へ屈曲した係止片と、該係止片と固定片によりなる係止溝と、係止片の先端を上方に屈曲し先端を水下側へ屈曲し固定片の下端よりも水下側へ突出した支持片とから形成した取付具とからなり、取付具の支持片により金属製屋根材の上端部を支持すると共に取付具の固定片を固定具により固定することにより金属製屋根材の上端部を固定し、金属製屋根材の下端部は差込片を取付具の係止溝に係合することにより固定されることを特徴とする外装材。
【発明の詳細な説明】
【技術分野】
【０００１】
本発明は、外装材として今までにない施工性を有し、かつ防水機能、断熱機能、結露防止機能、等を形成した外装材に係るものである。
【背景技術】
【０００２】
一般に、金属製板材をロール成形、プレス成形等して加工した屋根材は数多く上市され、その形状は、所謂引っ掛け構造であった。（例えば、特許文献１、２参照）。
【０００３】
【特許文献１】特開２００２−０３８６５８号公報
【特許文献２】特開２００２−１５５６０２号公報
【発明の開示】
【発明が解決しようとする課題】
【０００４】
しかしながら、特許文献１、２は引っ掛け構造であるために、勾配が急な屋根に使用した際に、連結した上段の屋根材が自重で落ちてくるので、上段の屋根材の固定部を固定具（釘）で固定するまで、屋根材が落ちないように手で押さえている必要があり、施工が大変であった。
【課題を解決するための手段】
【０００５】
本発明はこのような欠点を解決するために、化粧面の水上側の先端を上方へ突出した防水片と、防水片の先端を水上側へ突出した嵌合片と、嵌合片の先端を水下側へ突出した上片と、上片の先端を防水片よりもさらに突出した止水片より形成した雌型連結部と、化粧面の水下側の先端には下方に垂下した段差化粧面と、化粧面の先端近傍を下方に突出した最奥片と、最奥片の先端を水下側に突出した差込片を形成した雄型連結部とからなる金属製屋根材と、略水平面状の固定片と、固定片の下端を上方に屈曲し先端を水上側へ屈曲した係止片と、係止片と固定片によりなる係止溝と、係止片の先端を上方に屈曲し先端を水下側へ屈曲し固定片の下端よりも水下側へ突出した支持片とから形成した取付具とからなり、取付具の支持片により金属製屋根材の上端部を支持すると共に取付具の固定片を固定具により固定することにより金属製屋根材の上端部を固定し、金属製屋根材の下端部は差込片を取付具の係止溝に係合することにより固定される外装材を提供するものである。
【発明の効果】
【０００６】
以上説明したように、本発明に係る外装材によれば、（１）外装材を落とし込み構造としても、止水溝の形成により防水性を維持できる。（２）勾配が急な屋根に使用しても、連結した上段の外装材が自重で落ちてくることがないために、外装材が落ちないように手で押さえている必要が無く、施工が楽である。（３）段差化粧面の形成により段差を形成し、屋根に重厚感を付与すると共に、内部に挿入間隙を形成し、直接、風雨が外装材の連結部に当たらない。（４）止水片の形成により、防水性が向上する。（５）雌型連結部の止水片と雄型連結部の上片と取付具の支持片間にスプリングバックが働き、防水性、気密性、連結力の強化が図られる。等の特徴、効果がある。
【発明を実施するための最良の形態】
【０００７】
以下に図面を用いて本発明に係る外装材について詳細に説明する。図１（ａ）、（ｂ）は金属製屋根材Ｃと裏打材Ｄよりなる屋根材Ｂと、屋根材Ｂと取付具Ｅよりなる外装材Ａの代表的一例を示す説明図、図２（ａ）、（ｂ）は取付具Ｅを示す断面図、図３は外装材Ａの施工状態を示す説明図である。図中、αは下地、βは釘等の固定具を示している。
【０００８】
下地αは、新築の際は図３に示すように垂木１、野地板２、防水シート３（一点鎖線で示す）から構成した木造下地を示したものである。すなわち、垂木１上に野地板２を敷設し、野地板２上に防水シート３を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、既存の屋根をそのまま改修する屋根の際には、これら下地α上に新生瓦や瓦棒等の既存屋根（図示せず）が形成された既存屋根構造が下地αとなるものである。勿論、防水シート３を形成しない下地αでも良いものである。
【０００９】
金属製屋根材Ｃは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。勿論、外装材Ａの表面材として、金属製屋根材Ｃの代わりに窯業系素材、もしくは合成樹脂材（プラスチック）、等で形成してもよいものである。
【００１０】
さらに説明すると、金属製屋根材Ｃは長尺板状であり、図１（ａ）に示すように、略水平面状の化粧面４と、裏面５と、化粧面４の先端を下方に垂下した段差化粧面６と、段差化粧面６と化粧面４に沿って内側方に突出した上片７と、上片７の先端を下方に突出した最奥片８と、最奥片８の先端を水下側に突出した差込片９と、上片７と最奥片８と差込片９とから略コ字状の係合溝１０を形成し、段差化粧面６と差込片９間に挿入間隙１１を形成して雄型連結部１２としたものである。
【００１１】
また、図１（ａ）に示すように、化粧面４の水上側端部には化粧面４の先端を上方へ突出した防水片１３と、防水片１３の先端を水上側へ突出した嵌合片１４と、嵌合片１４の先端を水下側へ突出した上片１５とからなる嵌合部１６と、上片の先端を防水片１３よりもさらに突出した止水片１７より形成した雌型連結部１８を形成したものである。
【００１２】
段差化粧面６は、段差を形成し屋根に重厚感を付与すると共に、内部に挿入間隙１１を形成し、直接、風雨が外装材Ａの連結部に当たらないように形成し、防水性を向上するものである。
【００１３】
挿入間隙１１は、図３（ａ）に示すように挿入して外装材Ａ同士を連結する際に、段差化粧面６が邪魔にならないように形成したものである。
【００１４】
止水片１７は、防水性強化のために形成されたものであり、万が一に内部に浸入しようとした雨風を、空間γ内で外方向に向きを変えさせるように形成したものである。
【００１５】
裏打材Ｄは防水材、断熱材、吸音材、緩衝材、防火材、結露防止材、等として機能するものであり、不織布、合成樹脂製発泡シート（架橋化発泡ポリエチレンシート、等）、ロックウール、テックス（軟質繊維板）、ゴムシート、樹脂シート、等、あるいはこれらに遮音材、耐火材等を含浸、含有、混合、積層（一層、あるいは複数層）、サンドイッチ、等したものを使用することもできる。特に不織布は、縦糸と横糸を交差させて繊維から織物にする従来の方法と異なり、各種の繊維を接着剤等で結合した不織布等である。この不織布はまず繊維が平行に交差するか、また無秩序に配列された薄いフェルト状のものを接着剤で結合させるか、または主体となる繊維状態の中に別の熱可塑性繊維を混在させて、加熱および加圧して溶融し相互に結合させたりして作られたものである。勿論、素材自体に防水性の無いものには、樹脂材をコーティング、あるいは撥水剤、防水コーティング剤、等で防水機能を片面あるいは両面に付加したものである。
【００１６】
外装材Ａの固定には、図２（ａ）、（ｂ）に示すような略水平面状の固定片１９と、固定片１９の下端を上方に屈曲し先端を水上側へ屈曲した係止片２０と、係止片２０と固定片１９によりなる係止溝２１と、係止片２０の先端を上方に屈曲し先端を水下側へ屈曲し固定片１９の下端よりも水下側へ突出した支持片２２と、係止片２０と支持片２２とからなる嵌合溝２３と、支持片２２の先端に形成した防水突起２４と、支持片２２により形成される防水空隙２５と、パッキング材２６とから形成した取付具Ｅを使用し、図３に示すように施工するものである。なお、取付具Ｅは長尺状（外装材Ａと同じ長さ）のものを使用するものである。
【００１７】
固定片１９は図３に示すように外装材Ａを支持し、固定片１９を固定具βにより固定することにより下地αに外装材Ａを固定する部分である。
【００１８】
係止溝２１は外装材Ａの差込片９を係止し、下地αに外装材Ａを固定する部分である。
【００１９】
支持片２２と防止突起２４は、図３に示すように外装材Ａ同士を連結した際に、上片７にそのスプリングバックにより接触した状態で形成されるために、外装材Ａ同士の連結部内で常時防水性・機密性の良い状態が継続されるものである。
【００２０】
嵌合溝２３は、屋根材Ｂの嵌合部１６を嵌合して屋根材Ｂを下地α上に固定するための部分であると共に、係止片２０と支持片２２間に空間を形成することにより、支持片２２がスムーズにスプリングバック機能が発揮できるように形成した部分である。
【００２１】
防水突起２５は、外装材Ａ同士を連結する際に段差化粧面６との関係で、支持片２２がスムーズにスプリングバック機能が発揮できるように形成すると共に、係合力の強化を図ったものである。
【００２２】
パッキング材２６は外装材Ａと取付具Ｅ間より雨水等が下地αに浸入しないように形成するものであり、その素材としては、定型で弾性のあるパッキング材としては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているものであり、主に防水材、気密材等の機能として有用なものである。また、これらの成分の中に、耐火性、防火性を有する例えばポリリン酸アンモニウム、水酸化アルミニウム、フェノール樹脂粒、カーボンブラック、グラファイト（発泡、非発泡）等の難燃材を混入することもできる。
【００２３】
さらに詳説すると、外装材Ａは図４に示すように、下段となる外装材Ａに上段の点線で示す上段の外装材Ａを施工した際に、風雨が矢印のように吹き込むと、支持片２２が点線矢印アの方向に回転するように力が加わるが、反対に係止片１７が点線矢印イ方向に回転するように力が加わるために差込片９が下地α側に押さえ込まれ、上段の外装材Ａが風雨により剥がされることがないものである。
【００２４】
さらに詳説すると、図１（ｂ）に示すように、挿入間隙１１の幅をＨ、係止片２０の先端から防水突起２４の先端までの幅をｈ、段差化粧面６の先端から差込片９までの幅をＴ、係止片２０から支持片２２までの幅をｔとすると、Ｈ≒ｈでＨ＞ｈ、Ｔ≒ｔでＴ＞ｔの関係である。
【００２５】
この関係により、防水突起２４が邪魔にならず嵌合がスムーズであると共に、防水突起２４が挿入間隙１１内に嵌合された状態となるものである。
【００２６】
また、図５〜図８は本発明に係る外装材の施工順序を示す断面図である。
【００２７】
以上説明したのは本発明に係る外装材の一実施例にすぎず、図９（ａ）、（ｂ）に示すように外装材Ａを形成することもできる。
【００２８】
特に、図９（ｂ）は接着剤２７により屋根材Ｂと取付具Ｅを一体化した外装材Ａのその他の実施例を示す断面図である。勿論、接着剤２７の代わりに溶接、あるいは折り曲げ加工、等の接着手段を介して屋根材Ｂと取付具Ｅを一体化して外装材Ａとすることもできるものである。
【図面の簡単な説明】
【００２９】
【図１】本発明に係る外装材の代表的一例を示す説明図である。
【図２】本発明に係る外装材に使用する取付具を示す説明図である。
【図３】本発明に係る外装材の施工状態を示す説明図である。
【図４】本発明に係る外装材の施工順序を示す説明図である。
【図５】本発明に係る外装材の施工順序を示す説明図である。
【図６】本発明に係る外装材の施工順序を示す説明図である。
【図７】本発明に係る外装材の施工順序を示す説明図である。
【図８】本発明に係る外装材の施工順序を示す説明図である。
【図９】本発明に係る外装材のその他の実施例を示す説明図である。
【符号の説明】
【００３０】
α  下地
β  固定具
γ  空間
Ａ  外装材
Ｂ  屋根材
Ｃ  金属製屋根材
Ｄ  裏打材
Ｅ  取付具
１  垂木
２  野地板
３  防水シート
４  化粧面
５  裏面
６  段差化粧面
７  上片
８  最奥片
９  差込片
１０  係合溝
１１  挿入間隙
１２  雄型連結部
１３  防水片
１４  嵌合片
１５  上片
１６  嵌合部
１７  止水片
１８  雌型連結部
１９  固定片
２０  係止片
２１  係止溝
２２  支持片
２３  嵌合溝
２４  防水突起
２５  防水空隙
２６  パッキング材
２７  接着剤
【図１】
2006225866.tif 000003
【図２】
2006225866.tif 000004
【図３】
2006225866.tif 000005
【図４】
2006225866.tif 000006
【図５】
2006225866.tif 000007
【図６】
2006225866.tif 000008
【図７】
2006225866.tif 000009
【図８】
2006225866.tif 000010
【図９】
2006225866.tif 000011